(57)【要約】【課題】観察状態ごとに適切な表示倍率による観察像を表示し、被検眼の位置合わせやフォーカス調整を容易に行うこと。【解決手段】照明光学系の観察光源の照明光で照明された被検眼の画像を、撮影光学系を介して取得する撮像部を有する眼科装置は、眼科装置の光学素子の調整操作を検出する検出部と、調整操作に対応する表示倍率で、被検眼の画像を表示部に表示させる画像処理部と、を有する。【選択図】  図２
2018064991.tif 000002
【特許請求の範囲】
【請求項１】
照明光学系の観察光源の照明光で照明された被検眼の画像を、撮影光学系を介して取得する撮像手段を有する眼科装置であって、
前記眼科装置の光学素子の調整操作を検出する検出手段と、
前記調整操作に対応する表示倍率で、前記被検眼の画像を表示手段に表示させる画像処理手段と、
を有することを特徴とする眼科装置。
【請求項２】
前記検出手段は、アライメント操作またはフォーカス操作を、前記光学素子の調整操作として検出し、
前記画像処理手段は、前記フォーカス操作が検出された場合、前記アライメント操作が検出された場合の表示倍率よりも大きい表示倍率で、前記被検眼の画像を前記表示手段に表示させることを特徴とする請求項１に記載の眼科装置。
【請求項３】
照明光学系の観察光源の照明光で照明された被検眼の画像を、撮影光学系を介して取得する撮像手段を有する眼科装置の画像処理方法であって、
前記被検眼の前眼部または眼底を、前記被検眼の観察部位として検出する検出工程と、
前記撮像手段で取得された前記被検眼の画像を、前記検出された観察部位に対応する表示倍率で、表示手段に表示させる画像処理工程と、
を有することを特徴とする画像処理方法。
【請求項４】
照明光学系の観察光源の照明光で照明された被検眼の画像を、撮影光学系を介して取得する撮像手段を有する眼科装置の画像処理方法であって、
前記眼科装置の光学素子の調整操作を検出する検出工程と、
前記調整操作に対応する表示倍率で、前記被検眼の画像を表示手段に表示させる画像処理工程と、
を有することを特徴とする画像処理方法。
【請求項５】
コンピュータに、請求項３または４に記載の画像処理方法の各工程を実行させるためのプログラム。
【発明の詳細な説明】
【技術分野】
【０００１】
本発明は、眼科装置、画像処理方法およびプログラムに関する。
【背景技術】
【０００２】
従来の眼底カメラでは、検者は被検眼像を表示部で観察しながら、被検眼の位置合わせを行っている。この位置合わせを行う際には、初めに広い視野で被検眼の前眼部像、瞳孔を観察し、位置合わせを行う。その後、被検眼の眼底像の観察を行い、位置合わせを行う。
【０００３】
前眼部像の観察においては、観察像を拡大して観察するために、電子的に前眼部像を拡大する眼底カメラが知られている（特許文献１）。また、眼底像の観察においては、内臓モニタに撮影された眼底像を拡大表示する眼底カメラ（特許文献２）や、ピント合わせを行う際のフォーカス操作時に眼底像の中心部を拡大して表示する眼底カメラ（特許文献３）が知られている。
【０００４】
一方、近年では汎用デジタルカメラを眼底カメラの光学系に装着し、汎用デジタルカメラに備えられた撮像素子によって眼底像を撮像し、撮像された眼底像を汎用デジタルカメラの表示部に表示することが提案されている。また、近年の眼底カメラの中には眼底像の撮影だけでなく、前眼部を撮影することが可能な眼底カメラが知られている。
【先行技術文献】
【特許文献】
【０００５】
【特許文献１】特開平７−１９４５４６号公報
【特許文献２】特開平５−１９２２９９号公報
【特許文献３】特開２０１０−１４８５８６号公報
【発明の概要】
【発明が解決しようとする課題】
【０００６】
しかしながら、汎用デジタルカメラに備えられた表示部は、大きさが小さい場合が多く、被検眼の位置合わせには、汎用デジタルカメラの表示部に表示された被検眼像では見難いという問題がある。特に、眼底像の観察時の位置合わせを容易になるように表示倍率を決定すると、光学設計等によっては前眼観察時の表示が小さくなってしまう。このため、前眼部の位置合わせを精度よくすることが困難になり、そのために前眼観察から眼底像の観察に切換えると、眼底像の位置がずれて表示され、位置合わせに時間がかかってしまうことがある。
【０００７】
上記の問題点を解決するために、前眼観察時の光学的な表示倍率を大きくすると、前眼部の表示が狭い範囲で表示されるため、被検眼の前眼部や瞳孔の位置を把握するのが困難になり、前眼部の位置合わせに時間がかかってしまう。さらに、光学的な表示倍率を大きくすると、前眼部の撮影範囲も狭くなってしまう。
【課題を解決するための手段】
【０００８】
本発明は、上記の課題を鑑みてなされたものであり、観察状態ごとに適切な表示倍率による観察像を表示し、被検眼の位置合わせやフォーカス調整を容易に行うことが可能な技術の提供を目的とする。
【０００９】
本発明の一つの側面に係る眼科装置は、
照明光学系の観察光源の照明光で照明された被検眼の画像を、撮影光学系を介して取得する撮像手段を有する眼科装置であって、
前記眼科装置の光学素子の調整操作を検出する検出手段と、
前記調整操作に対応する表示倍率で、前記被検眼の画像を表示手段に表示させる画像処理手段と、を有することを特徴とする。
【発明の効果】
【００１０】
本発明によれば、観察状態ごとに適切な表示倍率による観察像を表示し、被検眼の位置合わせやフォーカス調整を容易に行うことが可能になる。
【図面の簡単な説明】
【００１１】
【図１】実施形態に係る眼底カメラの構成を例示する図。
【図２】第１実施形態に係る眼底カメラの機能構成を示す図。
【図３】（ａ）〜（ｃ）は前眼部の観察画像の表示例、（ｄ）、（ｅ）は眼底の観察画像の表示例を示す図。
【図４】表示倍率の設定例を示す図。
【図５】観察モードの切換えと表示倍率の切換え処理の流れを説明する図。
【図６】第２実施形態に係る眼底カメラの機能構成を示す図。
【図７】（ａ）、（ｂ）は第３実施形態に係る眼底カメラの観察画像の表示例、（ｃ）、（ｄ）は表示倍率の設定を例示する図。
【発明を実施するための形態】
【００１２】
以下、図面を参照して、本発明の実施形態を例示的に詳しく説明する。ただし、実施形態に記載されている構成要素はあくまで例示であり、本発明の技術的範囲は、特許請求の範囲によって確定されるのであって、以下の個別の実施形態によって限定されるわけではない。
【００１３】
（第１実施形態）
図１は本発明の実施形態に係る眼科装置として眼底カメラの構成を例示する図である。光路Ｌ１上には、赤外光を発する観察光源１、コンデンサレンズ２、赤外光を透過し可視光を遮断するフィルタ３、ストロボ等の撮影光源４、レンズ５、ミラー６が配置されている。ミラー６の反射方向の光路Ｌ２上には、リング状の開口を有するリング絞り７、リレーレンズ８、中央部に開口を有する穴あきミラー９が配置されている。
【００１４】
また、穴あきミラー９の反射方向の光路Ｌ３上には、被検眼Ｅに対向して対物レンズ１０が配置されている。穴あきミラー９の穴部には撮影絞り１１が光路Ｌ３上に配置され、光路Ｌ３上の位置を移動することによりピントを調整するフォーカスレンズ１２、撮影レンズ１３が配置されている。図１において、対物レンズ１０と穴あきミラー９との間の光路Ｌ３上には前眼レンズ１８が挿入されている状態を示している。前眼レンズ１８は制御部３１の制御の下に移動する移動部１９に接続されており、前眼レンズ１８は、移動部１９により光路Ｌ３上に挿入されるように移動したり、光路Ｌ３上から外れる（退避する）ように移動可能である。
【００１５】
撮影レンズ１３の先の眼底カメラＣ内部には、動画観察と静止画撮影とを兼ねた撮像部（撮像素子１４）が配置されている。また、撮像素子１４は画像処理部１７に接続されており、この画像処理部１７には表示部１５が接続されている。撮像素子１４からの画像信号は画像処理部１７により画像処理される。画像処理部１７は、画像処理として、被検眼の画像を、被検眼の観察部位に応じた表示倍率または眼底カメラの操作に応じた表示倍率で表示部１５に表示する。画像処理部１７の出力は制御部３１および表示部１５（モニタ）に出力される。表示部１５は画像処理部１７で画像処理された被検眼の観察像を表示する。尚、眼底カメラＣ（撮像素子１４および表示部１５）は、撮影光学系に対して着脱可能な構成であっても良い。
【００１６】
図２は、眼底カメラの機能構成を示す図である。制御部３１は眼底カメラの動作の全体的な動作を制御する。この制御部３１には、前眼レンズ１８を移動する移動部１９、画像処理部１７、発光回路３０、変更検知部４１、記憶部３７、表示倍率設定部３６および操作部３２が接続されている。操作部３２には撮影開始スイッチ３３、観察モード切換スイッチ３４、フォーカスレンズ１２を駆動するフォーカス駆動操作スイッチ３５及び被検眼Ｅと眼底カメラとの相対的な位置合わせを行うアライメント調整スイッチ４５が設けられている。また、記憶部３７には、被検眼の観察部位に応じた表示倍率として、前眼観察表示倍率３８および眼底観察表示倍率３９に関する情報が設定されている。また、記憶部３７には、撮像部（撮像素子１４）の操作に応じた表示倍率として、フォーカス操作時表示倍率４０に関する情報が設定されている。
【００１７】
変更検知部４１は、観察部位の変更または眼底カメラの操作の変更を検知する。変更検知部４１が眼底カメラの観察部位の変更（例えば、前眼観察から眼底観察への変更）を検知すると、表示倍率設定部３６は記憶部３７から、変更された観察部位に応じた表示倍率の情報を取得し、表示部１５の表示倍率として画像処理部１７に設定する。表示倍率設定部３６により設定された表示倍率に応じて、画像処理部１７は眼底Ｅｒの所定画角を規定する中央部の位置に開口を有するマスクを生成する。
【００１８】
また、変更検知部４１は、眼底カメラの操作の変更を検知すると、表示倍率設定部３６は記憶部３７から操作の変更に対応した表示倍率の情報を取得し、表示部１５の表示倍率として画像処理部１７に設定する。表示倍率設定部３６により設定された表示倍率に応じて、画像処理部１７は被検眼の画像を表示部１５に表示する。
【００１９】
発光回路３０には、撮影光源４および観察光源１が接続されている。制御部３１は、発光回路３０を介して、観察光源１の光量調整・点灯・消灯と撮影光源４の光量調整・点灯・消灯とを制御する。
【００２０】
眼底観察行う前に被検眼の前眼部（瞳孔Ｅｐ）を指定位置に位置合わせするアライメントを行うための前眼観察を行う。前眼観察は通常の場合、被検者を座らせて、まず被検眼がどこにあるかを探す必要がある。そこで、眼底カメラの本体を上下、左右、前後を移動させながら、表示部１５の表示範囲内に被検眼を見つけ、位置合わせを行う。ここで重要なのは、被験者の負担軽減と撮影の効率化の観点から表示部１５の表示範囲内に被検眼を素早く見つけることであるため、被検眼の周辺も表示部１５に表示する必要がある。
【００２１】
操作者は観察モード切換スイッチ３４を操作すると、制御部３１は前眼レンズ１８を光路Ｌ３に挿入するように移動部１９を制御する。次に、制御部３１は発光回路３０を制御して観察光源１を点灯させる。発光回路３０によって観察光源１が点灯すると、観察光源１から前眼レンズ１８、対物レンズ１０に至る照明光学系の光路Ｌ１、Ｌ２、Ｌ３を通り、被検眼Ｅの前眼部を照明する。この観察光により照明された前眼部の像は、撮影光学系として、光路Ｌ３上の対物レンズ１０、前眼レンズ１８、穴あきミラー９、フォーカスレンズ１２、および撮影レンズ１３を通り、撮影カメラＣ内部の撮像素子１４に達する。このとき、撮像素子１４により得られた前眼部の画像は画像処理部１７により画像処理され、前眼部の観察モードに応じた表示倍率で表示部１５に表示される。
【００２２】
前眼観察により前眼部を指定位置に位置合わせ後に眼底観察を行う場合、操作者はフォーカス駆動操作スイッチ３５を操作して、眼底撮影のために被検眼Ｅに対する精密な位置合わせ（眼底アライメント）とフォーカス調整を行う。発光回路３０によって観察光源１を点灯すると、この赤外観察光は観察光源１から対物レンズ１０に至る照明光学系の光路Ｌ１、Ｌ２、Ｌ３を通り、被検眼Ｅの瞳孔Ｅｐを介して眼底Ｅｒを照明する。この観察光により照明された眼底Ｅｒの像は、対物レンズ１０、穴あきミラー９の光路Ｌ３を通り、撮影カメラＣ内部の撮像素子１４に達する。このとき、撮像素子１４により得られた赤外光による眼底像は、画像処理部１７により画像処理され、観察部位として眼底の観察モードに応じた表示倍率で表示部１５に表示される。尚、本実施形態では、撮像素子１４は、眼底観察および前眼観察において共通のものを使用しているが、前眼観察用の撮像素子は、眼底観察用の撮像素子と異なっても良い。
【００２３】
図３（ａ）、（ｂ）、（ｃ）は、それぞれ表示倍率が１倍（×１．０）、２倍（×２．０）、４倍（×４．０）である前眼部（瞳孔Ｅｐ）の観察画像を例示する図である。前眼観察では、前眼部（瞳孔Ｅｐ）をアライメントマーク５０（アライメント指標）と同心円状になるように位置合わせを行う。表示倍率設定部３６は表示倍率を変更する場合にアライメントマーク５０のサイズも表示倍率に合わせて大きさを変えて表示する。操作者は表示部１５に表示される画像を見ながら、アライメント調整スイッチ４５を操作する。眼底カメラ本体を上下、左右、前後のいずれかの方向に移動させることにより、観察部位として前眼部（瞳孔Ｅｐ）をアライメントマーク５０と同心円状になるように位置合わせを行ない、被検眼Ｅと眼底カメラとの相対的な位置合わせを行う。
【００２４】
図３（ａ）のような表示倍率の場合、前眼部を広く観察することが可能であるため、被検眼を見つけ易くなる。しかしながら、瞳孔Ｅｐが小さく表示されるため、表示部１５が小型な場合は、瞳孔Ｅｐの位置合わせを精度よく行うことが困難なことがある。瞳孔Ｅｐの位置合わせの精度が低いと、眼底観察に切換えた場合に、眼底像が見難くなり、眼底観察時の位置合わせの効率が低下する。図３（ｃ）のような表示倍率の場合は、瞳孔Ｅｐが大きく表示されるため、瞳孔の位置合わせ精度を良くすることができる。しかしながら、前眼部の観察領域が狭くなってしまうため、被検眼を見つけ難くなってしまうことがある。そこで、図３（ａ）、（ｃ）の表示倍率で瞳孔Ｅｐの位置合わせが困難な場合は、図３（ｂ）のような図３（ａ）と図３（ｃ）との倍率のうち中間の表示倍率が良い。表示部１５の大きさによって、適正な表示倍率を設定することで、前眼観察時の瞳孔Ｅｐをアライメントマーク５０と同心円状になるように位置合わせするための操作性が向上する。
【００２５】
図３（ｄ）、（ｅ）は、表示部１５が小型の場合の眼底観察画像を例示する図であり、図３（ｄ）、（ｅ）は、それぞれ、表示倍率が１倍（×１．０）、１．３倍（×１．３）の例である。なお、画像処理部１７は、眼底像と眼底Ｅｒの所定画角を規定する中央部の位置に開口を有するマスクを電子的に合成した画像を表示部１５に表示する。また、画像処理部１７は、表示倍率に応じて眼底像とマスクの開口部を拡大処理して表示部１５に表示する。
【００２６】
一般に眼底観察時の位置合わせは、黄班部Ｙと乳頭部Ｎが均等な位置関係ある後極中心で撮影する場合を例にすると、黄班部、乳頭部、主要な動脈、静脈）の位置関係を見ながら行われる。図３（ｅ）では、眼底観察時に撮影する画角に対し、眼底像が欠けて表示されるが、黄班部Ｎ、乳頭部Ｙ、主要な動脈、静脈を含まない図３（ｅ）の斜線部分が欠けるだけであり、位置合わせには影響が無い。そのため、小型の表示部１５であっても、位置合わせ（眼底アライメント）およびフォーカス調整を容易に行うことができる。
【００２７】
図３（ｄ）、（ｅ）において、Ｌ２１は表示部１５の表示領域の短手方向の長さ、Ｌ２２は表示部１５の表示領域の長手方向の長さを示す。Ｌ２３は表示倍率１倍におけるＬ２１方向のマスクの開口Ｍの長さ、Ｌ２４は表示倍率１倍におけるＬ２２方向のマスクの開口Ｍの長さを示す。また、Ｌ２５は表示倍率１．３倍におけるＬ２１方向のマスクの開口Ｍの長さ、Ｌ２６は表示倍率１．３倍におけるＬ２２方向のマスクの開口Ｍの長さを示す。
【００２８】
図３（ｅ）の場合は、表示倍率１．３倍を例にして説明しているが、本発明はこの例に限定されるものではなく、拡大する倍率を長さＬ２１、Ｌ２２、Ｌ２５、Ｌ２６を用いて決定することも可能である。表示部１５の表示範囲において、マスクの開口Ｍが表示領域の長手方向において欠けず、短手方向において欠ける倍率であればよい。例えば、Ｌ２２≧Ｌ２６、Ｌ２２≒Ｌ２６、かつ、Ｌ２１≦Ｌ２５となる関係を満たす倍率であればよい。表示部１５が小型な場合は、図３（ｅ）のような表示場合率で行うと良い。なお、フォーカスによるピント合わせを行う場合は、ピントを合わせたい対象部分を拡大し、見易くしても良い。本実施形態では、表示倍率の設定を記憶部３７に格納しておく構成を説明したが、表示倍率設定部３６が、上記のＬ２２≧Ｌ２６、Ｌ２２≒Ｌ２６、かつ、Ｌ２１≦Ｌ２５となる関係を満たす倍率を演算（取得）し、表示部１５の表示倍率として設定してもよい。表示倍率設定部３６がネットワークを介して外部の情報処理装置から表示倍率の情報を取得してもよい。
【００２９】
図４（ａ）は、表示部１５が小型の場合の観察モードごとの表示倍率の設定例であり、前眼撮影は前眼部を撮影するための撮影モードである。図４（ｂ）は、操作者が眼底カメラの操作を行ったときに表示部１５に表示する表示倍率の設定例である。図４（ｂ）では、例えば、操作者が眼底カメラのフォーカスを調整する場合、表示倍率は２倍（×２．０）が設定される。操作者が本体移動の操作を行う場合、表示倍率は１倍（×１．０）が設定される。ここで、本体操作とは、眼底カメラを上下、左右、前後に移動させた時の操作である。図４（ｂ）では、眼底カメラの本体移動として上下、左右、前後の移動における表示倍率を共通の１倍（×１．０）で表示するように設定されているが、この例に限定されず、例えば、上下、左右、前後ごとに表示倍率を設定してもよい。また、変倍率や小瞳孔モードを持つ眼底カメラの場合は、これらの操作に対しても表示倍率を設定しても良い。
【００３０】
図５は、眼底カメラの観察モード（観察部位）の切換えと表示倍率の切換え処理の流れを説明する図であり、表示倍率は、図４（ａ）、（ｂ）で示した表示倍率が設定されているとして説明する。まず、ステップＳ５０１において、操作者は観察モード切換スイッチ３４を操作して被検眼の検査を開始する。尚、検査開始時の観察モード切換スイッチ３４の切り換え操作は、操作者の代わりに眼底カメラの制御部３１が行ってもよい。
【００３１】
次に、ステップＳ５０２で、変更検知部４１は観察モード切換スイッチ３４の操作により観察モードが前眼観察に切替わったことを検知すると、制御部３１は前眼レンズ１８を光路Ｌ３上に挿入するように移動部１９を制御する。
【００３２】
ステップＳ５０３で、表示倍率設定部３６は前眼観察モードの表示倍率を記憶部３７から取得し、表示部１５の表示倍率として画像処理部１７に設定する。これにより、図３（ｂ）に示すように表示部１５の表示倍率が２倍（×２．０）による前眼部の観察画像が表示部１５に表示される。
【００３３】
そして、ステップＳ５０４において、前眼部のアライメントを実行する。操作者は表示部１５に表示される画像を見ながら、アライメント調整スイッチ４５を操作して、眼底カメラ本体を上下、左右、前後方向に移動させることにより、被検眼Ｅと眼底カメラとの相対的な位置合わせを行う。この時、操作者が眼底カメラ本体の移動操作を行う場合、制御部３１は、移動操作が継続されている間、表示部１５の表示倍率を図３（ａ）に示すように表示倍率×１．０倍で表示するように制御する。表示倍率を２倍（×２．０）から１倍（×１．０）に変更することにより、前眼部を広く観察することが可能になるため、被検眼を見つけ易くなり、迅速に位置合わせを行うことができる。
【００３４】
眼底カメラ本体の移動操作が終了後、制御部３１は表示部１５の表示倍率を図３（ｂ）に示すように戻して、表示倍率を２倍（×２．０）で表示するように制御する。なお、手動で表示倍率を変更した場合、表示倍率設定部３６は観察モードが変更されるまでの間、手動で変更した表示倍率で表示を行うように表示倍率の設定を制御することが可能である。
【００３５】
前眼部のアライメントで、瞳孔の位置合わせが完了すると、ステップＳ５０５において、操作者は観察モード切換スイッチ３４を操作して、観察モードを前眼観察モードから眼底観察モードに切換える。このとき、観察モード切換スイッチ３４の操作により、制御部３１は前眼レンズ１８を光路Ｌ３上から外れる（退避する）ように移動部１９を制御する。なお、操作者の操作に代わり制御部３１が瞳孔の位置合わせを自動検出し、眼底観察モードに切換えても良い。
【００３６】
ステップＳ５０６において、変更検知部４１は観察モードが前眼観察モードから眼底観察モードに切替わったことを検知する。
【００３７】
ステップＳ５０７において、表示倍率設定部３６は眼底観察モードの表示倍率を記憶部３７から取得し、表示部１５の表示倍率として画像処理部１７に設定する。これにより、図３（ｅ）に示すように、表示倍率が１．３倍（×１．３）による眼底部の画像が表示部１５に表示される。この表示倍率の表示では、位置（眼底アライメント）調整、フォーカス調整に支障のない部分は表示されずに、位置調整、フォーカス調整に必要な眼底の主要部が拡大表示される。この表示倍率の表示によれば、小型の表示部１５であっても位置、フォーカス調整を容易に行うことができる。
【００３８】
ステップＳ５０８において、眼底アライメントを実行する。操作者は表示部１５に表示される画像を見ながら、フォーカス駆動操作スイッチ３５を操作して、眼底の位置合わせとフォーカス調整を行なう。フォーカス操作が完了すると、表示倍率設定部３６は表示部１５の表示倍率を元の表示倍率（表示倍率１倍）に戻す。表示部１５の表示倍率を元の表示倍率（表示倍率１倍）に戻すことにより（図３（ｄ））、所定の画角の眼底像に対して撮影ミスが無いことを確認することができる。
【００３９】
ステップＳ５０９において、操作者は撮影開始スイッチ３３を操作して眼底画像の撮影を実行する。なお、撮影画像は、所定の画角の眼底像に対して撮影ミスが無いことを確認するため、図３（ｄ）のような表示倍率で表示される。
【００４０】
ステップＳ５１０において、処理を終了するか否かを判定する。例えば、1検査で1眼のみを撮影する場合は終了する（Ｓ５１０−Ｙｅｓ）。一方、左右眼を撮影する場合や、次の検査を開始する場合（Ｓ５１０−Ｎｏ）、処理はステップＳ５０１に戻され、同様の処理が繰り返される。この際、制御部３１は一方の眼の撮影後に自動で、他方の眼の前眼観察に戻るように眼底カメラを制御することも可能である。
【００４１】
本実施形態によれば、被検眼の観察状態ごとに表示倍率を設定することにより、小型の表示部でも被検眼の位置合わせやフォーカス調整を容易に行うことが可能になる。
【００４２】
（第２実施形態）
本実施形態では、表示部１５とは異なる外部表示部６００が画像処理部１７に接続されている構成について説明する。図６は、本発明の第２実施形態に係る眼底カメラおよびそれに接続される装置の機能構成を示す図である。図２の構成と同一の構成については同一の参照番号を付して説明を省略する。図６に示す機能構成では、図２の構成に対して外部表示部６００、選択部６１０および比較部６２０が追加された構成になっている。
【００４３】
選択部６１０および比較部６２０は制御部３１に接続されており、外部表示部６００は画像処理部１７を介して制御部３１に接続されている。制御部３１は接続検知処理により外部表示部６００が接続されたことを検知すると、それを比較部６２０および表示倍率設定部３６に通知する。比較部６２０は新たに接続された外部表示部６００の表示領域のサイズを示す情報を画像処理部１７、制御部３１を介して取得する。また、比較部６２０は表示部１５の表示領域のサイズを示す情報を同様に画像処理部１７、制御部３１を介して取得し、外部表示部６００の表示領域のサイズと表示部１５の表示領域のサイズとを比較する。比較部６２０は、この大小関係の比較結果および表示領域のサイズの情報を制御部３１に通知する。
【００４４】
選択部６１０は、大小関係の比較結果を用いて、表示部１５、外部表示部６００のうちいずれの表示部を位置合わせおよびフォーカス調整のために使用するかを選択することができる。尚、この選択は操作部３２を介した操作者の入力に基づくものであってもよい。
【００４５】
外部表示部６００が表示部１５よりも大きい表示領域を有する場合、外部表示部６００を外部から眼底カメラに接続することにより、表示部１５よりも大きい表示部で被検眼の前眼部および眼底を観察することができる。この場合、外部表示部６００に画像を表示する際には、拡大表示を行わずに表示したほうが全画角を観察できるため、前眼観察では広範囲な表示することで被検眼を見つけ易く、かつ、表示領域のサイズが十分に大きいため、瞳孔の位置合わせも容易である。また、眼底観察では、全画角を観察することができるため、位置合わせやフォーカス調整も容易である。このため、選択部６１０は大きい表示領域を有する表示部を優先して選択する。
【００４６】
表示倍率設定部３６は、選択部６１０により選択された表示部の表示領域のサイズを示す情報を制御部３１から取得する。そして、表示倍率設定部３６は取得した表示領域のサイズを示す情報を用いて、選択された表示部に応じた表示倍率の情報を記憶部３７から取得し、画像処理部１７に設定する。
【００４７】
第１実施形態で説明したような拡大表示は、小型の表示部において被検眼の主要部を見やすくする表示である。大きい表示領域を有する外部表示部６００に表示する際には敢えて１倍を超える表示倍率を設定することによる拡大表示を行う必要は無い。この場合、表示倍率設定部３６は記憶部３７から図４（ｃ）に示すような表示倍率（１倍）の情報を取得し、外部表示部６００の表示倍率として画像処理部１７に設定する。表示倍率設定部３６で設定された表示倍率に応じて、画像処理部１７は眼底Ｅｒの所定画角を規定する中央部の位置に開口を有するマスクを生成する。
【００４８】
複数の表示部が画像処理部１７を介して眼底カメラに接続されている場合、選択部６１０は、例えば、表示部１５、外部表示部６００のうちいずれの表示部を位置合わせおよびフォーカス調整のために使用するかを選択する。表示倍率設定部３６は選択部６１０により選択された表示部から表示領域のサイズを示す情報を画像処理部１７、制御部３１を介して取得する。そして、表示倍率設定部３６は取得した表示領域のサイズを示す情報を用いて、選択された表示部に応じた表示倍率の情報を記憶部３７から取得し、選択された表示部の表示倍率として画像処理部１７に設定する。選択部６１０、比較部６２０、表示倍率設定部３６の処理により、選択された表示部に応じた表示倍率を自動で設定することで、より使い勝手が良くなる。
【００４９】
（第３実施形態）
本実施形態では、表示領域のサイズの大きい表示部に画像を表示する場合に、その表示領域に複数の画像を表示する構成について説明する。図７（ａ）は前眼部の複数の観察画像の表示を例示する図であり、表示６１は表示倍率４倍の前眼部の観察画像の拡大表示であり、表示６１は図３（ｃ）に対応するものである。表示６２は、表示倍率１倍で前眼部を広範囲に表示するものあり、表示６２は図３（ａ）に対応した表示である。
【００５０】
本実施形態では、前眼観察表示倍率３８として、表示部の表示領域内における部分表示領域（表示６１、表示６２）に対して、それぞれに表示倍率が設定されている。図７（ｃ）は前眼観察モードにおいて、表示６１、表示６２に対する表示倍率の設定を例示する図である。表示倍率の設定はあくまでも例示的なものであり、種々の倍率設定が可能である。図７（ａ）のような表示を行う場合、表示倍率設定部３６は図７（ｃ）の前眼観察７１のような表示倍率の情報を記憶部３７から取得し、表示部の表示倍率として画像処理部１７に設定する。
【００５１】
図７（ａ）のような表示により、操作者は表示６２を見ながら被検眼の全体において前眼部の概略的な位置合わせを行い、表示６１を見ながら被検眼の前眼部を、より精度よく位置合わせすることが可能になる。表示領域のうち部分領域（表示６１、６２）に異なる表示倍率を設定して表示することにより、見易さと利便性を兼ね備えることが可能となり、最適な前眼観察のアライメントが可能になる。表示６１、表示６２の表示サイズは、例えば、図７（ｃ）の表示倍率の設定を変えることで変更可能であり、表示部が変更された場合にも表示部の表示領域のサイズに応じた最適な前眼部の位置合わせおよびフォーカス調整が可能である。
【００５２】
図７（ｂ）は、眼底の複数の観察画像の表示を例示する図であり、表示６５は眼底の全画角表示であり、この表示は図３（ｄ）に対応するものである。表示６６は眼底の動脈または静脈の拡大表示であり、表示６７は眼底の黄班部の拡大表示であり、表示６８は眼底の乳頭部の拡大表示である。表示６６〜表示６８は、図３（ｅ）の拡大表示のうち眼底の各部の部分画像の表示である。
【００５３】
本実施形態では、眼底観察表示倍率３９として、表示部の表示領域内における部分表示領域（表示６５〜表示６８）に対して、それぞれ表示倍率が設定されている。図７（ｄ）は眼底観察モードにおいて、表示６５〜表示６８に対する表示倍率の設定を例示する図である。表示倍率の設定はあくまでも例示的なものであり、種々の倍率設定が可能である。図７（ｂ）のような表示を行う場合、表示倍率設定部３６は図７（ｄ）の眼底観察７２のような表示倍率の情報を記憶部３７から取得し、表示部の表示倍率として画像処理部１７に設定する。
【００５４】
図７（ｂ）のような表示により、操作者は表示６５の眼底の全画角表示により眼底の位置合わせ（アライメント）を行いつつ、眼底の各部の拡大表示を見ながらフォーカスの調整、確認を行うことができる。眼底の各部にフォーカスが合っているかどうかを確認するために操作部３２の操作により、各部それぞれについて拡大操作をする必要がなく、眼底の黄班部、乳頭部、動脈、静脈に対するフォーカスの確認を同時に行うことができる。表示６５〜表示６８の表示サイズは、例えば、図７（ｄ）の表示倍率の設定を変えることで変更可能であり、表示部が変更された場合にも表示部の表示領域のサイズに応じた最適な眼底の位置合わせおよびフォーカス調整が可能である。
【００５５】
上記の各実施形態では、眼科装置として眼底カメラの構成例を説明したが、本発明の趣旨は眼底カメラに限定されるものではない。例えば、ＯＣＴ（Optical coherence Tomography）、ＳＬＯ（Scanning Laser  Ophthalmoscope）に適用した場合も同様に観察状態ごとに適切な表示倍率による被検眼の観察像を表示することができる。これにより被検眼に対する位置合わせやフォーカス調整を容易に行うことが可能になる。
【００５６】
（その他の実施形態）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００５７】
１：観察光源、２：コンデンサレンズ、３：フィルタ、４：撮影光源、５：レンズ、６：ミラー、７：リング絞り、８：リレーレンズ、９：穴あきミラー、１４：撮像素子、１５：表示部、１７：画像処理部、１８：前眼レンズ、１９：移動部
【図１】
2018064991.tif 000003
【図２】
2018064991.tif 000004
【図３】
2018064991.tif 000005
【図４】
2018064991.tif 000006
【図５】
2018064991.tif 000007
【図６】
2018064991.tif 000008
【図７】
2018064991.tif 000009
【手続補正書】
【提出日】平成30年1月19日(2018.1.19)
【手続補正１】
【補正対象書類名】特許請求の範囲
【補正対象項目名】全文
【補正方法】変更
【補正の内容】
【特許請求の範囲】
【請求項１】
照明光学系の観察光源の照明光で照明された被検眼の画像を、撮影光学系を介して取得する撮像手段を有する眼科装置であって、
前記眼科装置の光学素子の調整操作を検出する検出手段と、
前記調整操作に対応する表示倍率で、前記被検眼の画像を表示手段に表示させる画像処理手段と、
を有することを特徴とする眼科装置。
【請求項２】
前記検出手段は、アライメント操作またはフォーカス操作を、前記光学素子の調整操作として検出し、
前記画像処理手段は、前記フォーカス操作が検出された場合、前記アライメント操作が検出された場合の表示倍率よりも大きい表示倍率で、前記被検眼の画像を前記表示手段に表示させることを特徴とする請求項１に記載の眼科装置。
【請求項３】
前記検出手段は、アライメント操作を前記光学素子の調整操作として検出し、
前記画像処理手段は、前記アライメント操作が継続されているときと前記アライメント操作が終了した後で、異なる表示倍率で前記被検眼の画像を前記表示手段に表示させることを特徴とする請求項１に記載の眼科装置。
【請求項４】
前記画像処理手段は、前記表示倍率に応じたアライメント指標を、前記被検眼の画像に重畳することを特徴とする請求項３に記載の眼科装置。
【請求項５】
照明光学系の観察光源の照明光で照明された被検眼の画像を、撮影光学系を介して取得する撮像手段を有する眼科装置の画像処理方法であって、
前記眼科装置の光学素子の調整操作を検出する検出工程と、
前記調整操作に対応する表示倍率で、前記被検眼の画像を表示手段に表示させる画像処理工程と、
を有することを特徴とする画像処理方法。
【請求項６】
コンピュータに、請求項５に記載の画像処理方法の各工程を実行させるためのプログラム。